(57)【特許請求の範囲】
【請求項１】
アルカリ金属またはアルカリ金属担持触媒の存在下、ベンゼン環またはナフタレン環の核炭素に少なくとも一個の水素原子を有する芳香族炭化水素を、窒素下で、カップリングさせることを特徴とするポリフェニル類またはポリナフチル類の製造方法。
【請求項２】
芳香族炭化水素がベンゼン、トルエン、キシレンまたはナフタレンである請求項１に記載のポリフェニル類またはポリナフチル類の製造方法。
【請求項３】
アルカリ金属がナトリウムまたはカリウムである請求項１に記載のポリフェニル類またはポリナフチル類の製造方法。
【請求項４】
カップリング反応の温度が、１５０〜３５０℃であり、カップリング反応圧力が、０．１〜５ＭＰａの範囲である請求項１に記載のポリフェニル類またはポリナフチル類の製造方法。
【発明の詳細な説明】
【０００１】
【発明の属する技術分野】
本発明はベンゼン環またはナフタレン環をもつ芳香族炭化水素をカップリングさせ、ポリフェニルまたはポリナフチル類を製造する方法に関する。ポリフェニル類やポリナフチル類は高分子材料や熱媒等の重要な原料である。
【０００２】
【従来技術】
ベンゼンまたはアルキルベンゼンをカップリングさせポリフェニル類を製造する方法としては特公昭54-38094号に示されるような高温での加熱縮合による方法や、特公昭49-39984号に示されるようなパラジウム触媒を用いたカップリング方法が知られている。
【０００３】
【発明が解決しようとする課題】
特公昭54-38094号に示されるようなベンゼンの加熱縮合によりポリフェニルを製造する方法は、ポリフェニルの製造法として最も良く知られた手法の一つであるが、反応温度として800℃にも達する高温が必要とされる上、原料の転化率を低く抑制して反応を行う必要があり、プロセスの効率は良くない。また特公昭49-39984号のパラジウム触媒によりベンゼン類をカップリングする方法は触媒として高価なパラジウムを使用するにもかかわらず、反応成績が低く工業的に実施する場合には経済的とは言えない。
本発明の目的は、ベンゼン環またはナフタレン環をもつ芳香族炭化水素をカップリングさせるに際して、高価な触媒を用いず温和な条件で反応を行い、ポリフェニルまたはポリナフチル類を工業的に有利に製造する方法を提供することである。
【０００４】
【課題を解決するための手段】
本発明者らは上記課題を解決するために鋭意検討した結果、アルカリ金属またはアルカリ金属担持触媒を触媒として芳香族炭化水素をカップリングさせることにより、加熱縮合による方法のような高温を必要とせず、またパラジウムのような高価な触媒も使用することなく、目的とするジフェニル、ターフェニル等のポリフェニル類やビナフチル等のポリナフチル類を安価に効率良く得られることを見出し、本発明を完成させるに到った。
【０００５】
即ち本発明は、アルカリ金属またはアルカリ金属担持触媒の存在下、ベンゼン環またはナフタレン環の核炭素に少なくとも一個の水素原子を有する芳香族炭化水素をカップリングさせることを特徴とするポリフェニル類またはポリナフチル類の製造方法である。
【発明の実施の形態】
【０００６】
本発明の原料となる芳香族炭化水素はベンゼン環またはナフタレン環の核炭素に少なくとも一個の水素原子を有するものであり、ベンゼン、トルエン、キシレン等のベンゼン類や、ナフタレン、メチルナフタレン、ジメチルナフタレン等のナフタレン類が挙げられる。
【０００７】
本発明ではアルカリ金属またはアルカリ金属担持触媒を触媒として用いるが、本発明で使用するアルカリ金属担持触媒はアルカリ金属と担体とを加熱混合処理することにより得られる。用いる担体としてはアルカリ金属を分散担持できるものなら何でも良いが、酸化ナトリウム、酸化カリウム、炭酸ナトリウム、炭酸カリウム等のアルカリ金属の酸化物或いは炭酸塩、炭酸マグネシウム、酸化マグネシウム、炭酸カルシウム、酸化カルシウム等のアルカリ土類金属の炭酸塩或いは酸化物、アルミナ、酸化ジルコニウム及びこれらにアルカリ金属含有化合物を含浸担持したもの等が適当である。含浸担持する場合に用いられるアルカリ金属含有化合物としては、水酸化ナトリウム、水酸化カリウム、炭酸カリウム、炭酸水素カリウム、アルミン酸カリウム等が適当である。これらの無機担体は単独で用いても、また２種以上の化合物を混合して用いてもよい。上記無機担体にアルカリ金属を熱処理することで本発明に用いられる触媒は調製されるが、その際に添加するアルカリ金属としては、リチウム、ナトリウム、カリウム、ルビジウム、セシウム等が用いられる。これらのうちではナトリウム、カリウムの使用が特に好ましい。
【０００８】
アルカリ金属と担体との混合による触媒の調製は、不活性気体下、アルカリ金属の融点以上の温度で加熱混合して行われる。ここで云う不活性気体とは、触媒調製条件下において調製される触媒と実質的に反応しない気体であり、具体的には窒素、ヘリウム、アルゴン等があげられる。但し、アルカリ金属としてリチウムを使用する場合は窒素と反応性があるのでその使用は好ましくない。本発明の触媒調製温度は、アルカリ金属の融点以上５００℃以下、より好ましくは３００℃以下の範囲が好ましく、また加熱処理の時間は、通常５分から３００分の範囲である。アルカリ金属の融点よりも低い温度ではアルカリ金属が融解しないために、アルカリ金属を担体と混合する際に均一に分散させ有効に接触させることが難しく、調製に時間がかかるために実用的とは云えない。一方、５００℃以上の温度でも触媒は調製できるが、高温下での発火性の物質の取り扱いは工業的な実施において好ましいものとは云えない。用いるアルカリ金属の量は、無機担体１重量部に対して０．０１〜１、好ましくは０．０２〜０．５の範囲である。この範囲を外れる場合には充分な触媒性能が得られず、必要な触媒活性を得るためには大量の触媒を用いる必要が生じ好ましくない。本発明の方法において用いる触媒の量は、原料の芳香族炭化水素に対して重量で０．０１％以上、好ましくは０．０５％以上である。
【０００９】
本発明の方法におけるカップリング反応の温度は、１５０〜３５０℃、好ましくは１８０〜３００℃の範囲である。これより低い場合にも反応は起こるが充分な反応速度が得られず、これより温度が高い場合にはタール分等の副生物が多くなり好ましくない。
反応圧力は、反応条件下で原料芳香族炭化水素、生成物が実質的に液体として存在するに必要な圧力で充分であり、０．１〜５ＭＰａの範囲である。
【００１０】
本発明の触媒を反応に使用する当っては、種々の反応方式が採られる。例えば、触媒を仕込んだ反応器に原料をバッチ方式にて供給する方法、または反応器に触媒および原料を連続的に供給する完全混合流通方式、或いは触媒を反応器に充填し原料を流通させる固定床流通方式等が採用できる。触媒を懸濁させて反応を行う場合には、反応後における反応液と触媒の分離は沈降、遠心分離、濾過等の一般的な方法で容易に行うことが出来る。分離された触媒は反応系に循環してもよく、また付着した有機物の空気燃焼による除去や水による洗浄等の必要な処理を行った後に触媒調製工程に循環してもよい。
【００１１】
【実施例】
以下実施例にて本発明を具体的に説明するが、本発明はこれら実施例に限定されるものではない。
【００１２】
触媒調製例
（触媒Ａ）
水酸化カリウム22.3gを含有する水溶液100mLに炭酸マグネシウム粉末50gを加え、80℃で１時間撹拌、混合した。140℃で一晩乾燥した後、さらに空気中 500℃で焼成した。この混合焼成品 10gを窒素雰囲気下 200℃で攪拌し、そこへ金属Na 1.0gを加えた後、その温度で60分攪拌して触媒Ａを得た。
（触媒Ｂ）
炭酸マグネシウムの代わりに水酸化マグネシウム粉末35gを加える以外は、触媒Ａと同様な方法で調製することにより触媒Ｂを得た。
（触媒Ｃ）
炭酸マグネシウムの代わりにアルミナ粉末20gを使用する以外は、触媒Ａと同様な方法で調製することにより触媒Ｃを得た。
【００１３】
実施例１
内容積2000mLのSUS316製攪拌式オートクレーブに窒素気流下で、触媒Ａ10gとモレキュラーシーブを用いて脱水したベンゼン 1000gとを仕込み250℃に加熱した。２時間攪拌後反応を停止し、冷却後イソプロピルアルコールを加えて触媒を失活させた後、反応液の一部を採りガスクロマトグラフにより分析した。その結果、ベンゼン転化率7.8%、ビフェニル選択率90.2%、ターフェニル選択率8.8%という反応成績が得られた。
【００１４】
実施例２〜４
触媒種および触媒量を変えて実施例１と同様に反応を行った。結果を表１に示す。
【表１】
0004412426.tif 000002
【００１５】
実施例５
内容積2000mLのSUS316製攪拌式オートクレーブに窒素気流下で、金属ナトリウム20gとナフタレン400gとを仕込み250℃に加熱した。４時間攪拌後反応を停止
し、冷却後イソプロピルアルコールを加えて触媒を失活させた後、反応液の一部を採りガスクロマトグラフにより分析した。その結果、ナフタレン転化率18.0%、ビナフチル選択率75.4%という反応成績が得られた。
【００１６】
実施例６〜８
触媒種および触媒量を変えて実施例５と同様に反応を行った。結果を表２に示す。
【表２】
0004412426.tif 000003
【００１７】
【発明の効果】
以上の実施例からも明らかなように、本発明の方法により芳香族炭化水素をカップリングさせることで、工業的に有用なポリフェニル類やポリナフチル類を、安価な触媒を用い温和な反応条件で、効率良く得られ、工業的有利に製造することができる。従って本発明の工業的意義は大きい。